(57)【要約】フロントパネルと、フロントパネルに折り曲げ可能につながっている第１のサイドパネルと、フロントパネルに折り曲げ可能につながっている第２のサイドパネルと、第１のサイドパネル及び第２のサイドパネルのうちの少なくとも一方に折り曲げ可能につながっている少なくとも１つのバックパネルとを含むことができる複数のパネルを有するカートンを備える強化パッケージ。袋は、カートンに貼り付けることができ、少なくとも部分的に開放した端部と、少なくとも部分的に閉鎖した端部と、製品を保持するための内部空間とを有することができる。カートンは、袋の内部空間が少なくとも部分的に潰される非起立位置と、袋の内部空間が増大する起立位置とに位置決め可能とすることができる。カートンは、袋を起立位置に支持することができ、カートンを起立位置に維持する維持機能部を有することができる。【選択図】図５
2018520071.tif 000002
【特許請求の範囲】
【請求項１】
カートンであって、前記カートンの内部の周りに少なくとも部分的に延在する複数のパネルを有し、前記複数のパネルは、フロントパネルと、前記フロントパネルに折り曲げ可能につながっている第１のサイドパネルと、前記フロントパネルに折り曲げ可能につながっている第２のサイドパネルと、前記第１のサイドパネル及び前記第２のサイドパネルのうちの少なくとも一方に折り曲げ可能につながっている少なくとも１つのバックパネルとを含む、カートンと、
前記カートンに貼り付けられる袋であって、少なくとも部分的に開放した端部と、少なくとも部分的に閉鎖した端部と、製品を保持するための内部空間とを有する、袋と、
を備え、
前記カートンは、前記袋の前記内部空間が少なくとも部分的に潰される非起立位置と、前記袋の前記内部空間が増大する起立位置とに位置決め可能であり、前記カートンは、前記袋を前記起立位置に支持するように構成され、前記第１のサイドパネル及び前記第２のサイドパネルは、前記カートンを前記起立位置に少なくとも部分的に維持する維持機能部を有する、強化パッケージ。
【請求項２】
前記第１のサイドパネルは、第１の折り線に沿って前記フロントパネルに折り曲げ可能につながっているとともに、第２の折り線に沿って前記少なくとも１つのバックパネルに折り曲げ可能につながっており、前記維持機能部は、前記第１の折り線と、前記第２の折り線と、前記第１のサイドパネルにおいて前記第１の折り線から前記第２の折り線まで延在する縦方向折り線とを含む、請求項１に記載の強化パッケージ。
【請求項３】
前記第１の折り線及び前記第２の折り線のそれぞれは、第１の頂点及び第２の頂点のそれぞれから延在する２つの斜め部分を有し、前記第１の頂点及び前記第２の頂点は、前記フロントパネル及び前記少なくとも１つのバックパネルのそれぞれへと延在し、前記縦方向折り線は、前記第１の頂点から前記第２の頂点まで延在する、請求項２に記載の強化パッケージ。
【請求項４】
前記第１のサイドパネルは、前記第１のサイドパネルにおいて延在する横方向折り線に沿って第２のパネル部分に折り曲げ可能につながっている第１のパネル部分を有し、前記第１のパネル部分及び前記第２のパネル部分は、前記非起立位置において、前記横方向折り線に沿って折り曲げられ、互いに少なくとも部分的に重なる、請求項２に記載の強化パッケージ。
【請求項５】
前記カートンは、前記フロントパネル及び前記少なくとも１つのバックパネルのうちの少なくとも一方にそれぞれ折り曲げ可能につながっているボトムパネル及びボトムフラップを含む底壁を更に有する、請求項１に記載の強化パッケージ。
【請求項６】
前記底壁は、前記カートンが前記非起立位置にある場合、前記フロントパネル及び前記少なくとも１つのバックパネルに対して外方に折り曲げられる、請求項５に記載の強化パッケージ。
【請求項７】
前記ボトムフラップは、第１のボトムフラップを含み、前記底壁は、折り線に沿って前記ボトムパネルに折り曲げ可能につながっている第２のボトムフラップを有し、前記第２のボトムフラップは、前記第１のボトムフラップに少なくとも部分的に接着され、前記底壁は、前記カートンが前記非起立位置にある場合、前記第１のボトムフラップ及び前記ボトムパネルが互いに少なくとも部分的に重なるように、前記折り線に沿って折り曲げられる、請求項５に記載の強化パッケージ。
【請求項８】
前記折り線は、前記非起立位置において、前記フロントパネル及び前記少なくとも１つのバックパネルから離間している、請求項７に記載の強化パッケージ。
【請求項９】
前記カートンは、前記複数のパネルのうちの少なくとも１つのパネルから延在する支持機能部を更に有する、請求項１に記載の強化パッケージ。
【請求項１０】
前記支持機能部は、前記フロントパネルから下方に延在する第１の支持部と、前記少なくとも１つのバックパネルから下方に延在する第２の支持部とを含む、請求項９に記載の強化パッケージ。
【請求項１１】
前記カートンは、前記フロントパネルに折り曲げ可能につながっているボトムパネルと、前記少なくとも１つのバックパネルに折り曲げ可能につながっているボトムフラップとを更に有し、前記第１の支持部は、前記ボトムパネルにおいて第１の開口に隣接して延在し、前記第２の支持部は、前記ボトムフラップにおいて第２の開口に隣接して延在する、請求項１０に記載の強化パッケージ。
【請求項１２】
前記支持機能部は、前記第１のサイドパネル及び前記第２のサイドパネルのそれぞれから下方に延在する少なくとも１つのサイド支持部を含む、請求項１１に記載の強化パッケージ。
【請求項１３】
前記支持機能部は、前記第１のサイドパネルから下方に延在する第１の支持部と、前記第２のサイドパネルから下方に延在する第２の支持部とを含む、請求項９に記載の強化パッケージ。
【請求項１４】
前記第１のサイドパネル及び前記第２のサイドパネルのそれぞれは、前記第１の支持部及び前記第２の支持部のそれぞれから延在する傾斜縁部を有する、請求項１３に記載の強化パッケージ。
【請求項１５】
前記第１のサイドパネルは、前記第１のサイドパネルにおいて延在する第１の横方向折り線に沿って第２のパネル部分に折り曲げ可能につながっている第１のパネル部分を有し、前記支持機能部は、前記第１のパネル部分から延在する第１の支持部と、前記第２のパネル部分から延在する第２の支持部とを含む、請求項９に記載の強化パッケージ。
【請求項１６】
前記第１のパネル部分は、第１の傾斜縁部を有し、前記第２のパネル部分は、第２の傾斜縁部を有し、前記第１の傾斜縁部は、前記第１の横方向折り線の端部から前記第１の支持部まで延在し、前記第２の傾斜縁部は、前記第１の横方向折り線の前記端部から前記第２の支持部まで延在し、前記第１の支持部と、前記第１の傾斜縁部と、前記第２の傾斜縁部と、前記第２の支持部とは、前記第１のサイドパネルにおけるリセスを少なくとも部分的に画定する、請求項１５に記載の強化パッケージ。
【請求項１７】
前記支持機能部は、前記フロントパネルから延在するフロント支持部と、前記少なくとも１つのバックパネルから延在するバック支持部とを更に含み、前記第１の支持部は、前記第１のサイドパネルにおいて第１のリセスによって前記第２の支持部から離間しており、前記フロント支持部は、前記フロントパネルにおいて第２のリセスによって前記第１の支持部から離間しており、前記バック支持部は、前記少なくとも１つのバックパネルにおいて第３のリセスによって前記第２の支持部から離間している、請求項１５に記載の強化パッケージ。
【請求項１８】
前記第２のサイドパネルは、前記第２のサイドパネルにおいて延在する第２の横方向折り線に沿って第４のパネル部分に折り曲げ可能につながっている第３のパネル部分を有し、前記支持機能部は、前記第３のパネル部分から延在する第３の支持部と、前記第４のパネル部分から延在する第４の支持部とを更に含む、請求項１５に記載の強化パッケージ。
【請求項１９】
前記第１のサイドパネルは、前記第１の支持部と前記第２の支持部との間に延在する第１のリセスを有し、前記第２のサイドパネルは、前記第３の支持部と前記第４の支持部との間に延在する第２のリセスを有する、請求項１８に記載の強化パッケージ。
【請求項２０】
製品を保持するための強化パッケージを形成するカートンブランクと袋との組合せであって、
前記カートンブランクは、カートンを形成するものであり且つ複数のパネルを有し、前記複数のパネルは、フロントパネルと、前記フロントパネルに折り曲げ可能につながっている第１のサイドパネルと、前記フロントパネルに折り曲げ可能につながっている第２のサイドパネルと、前記第１のサイドパネル及び前記第２のサイドパネルのうちの少なくとも一方に折り曲げ可能につながっている少なくとも１つのバックパネルとを含み、
前記袋は、少なくとも部分的に開放した端部と、少なくとも部分的に閉鎖した端部と、製品を保持するための内部空間とを有し、前記袋は、前記カートンブランクに少なくとも部分的に貼り付けられ、
前記カートンブランク及び前記袋から形成される前記強化パッケージは、前記袋の前記内部空間が少なくとも部分的に潰される非起立位置と、前記袋の前記内部空間が増大する起立位置とに位置決め可能であり、前記第１のサイドパネル及び前記第２のサイドパネルは、前記カートンブランクから形成された前記カートンを前記起立位置に少なくとも部分的に維持する維持機能部を有する、組合せ。
【請求項２１】
前記第１のサイドパネルは、第１の折り線に沿って前記フロントパネルに折り曲げ可能につながっているとともに、第２の折り線に沿って前記少なくとも１つのバックパネルに折り曲げ可能につながっており、前記維持機能部は、前記第１の折り線と、前記第２の折り線と、前記第１のサイドパネルにおいて前記第１の折り線から前記第２の折り線まで延在する縦方向折り線とを含む、請求項２０に記載の組合せ。
【請求項２２】
前記第１の折り線及び前記第２の折り線のそれぞれは、第１の頂点及び第２の頂点のそれぞれから延在する２つの斜め部分を有し、前記第１の頂点及び前記第２の頂点は、前記フロントパネル及び前記少なくとも１つのバックパネルのそれぞれへと延在し、前記縦方向折り線は、前記第１の頂点から前記第２の頂点まで延在する、請求項２１に記載の組合せ。
【請求項２３】
前記第１のサイドパネルは、前記第１のサイドパネルにおいて延在する横方向折り線に沿って第２のパネル部分に折り曲げ可能につながっている第１のパネル部分を有し、前記第１のパネル部分及び前記第２のパネル部分は、前記強化パッケージが前記カートンブランク及び前記袋から形成されると、前記非起立位置において、前記横方向折り線に沿って折り曲げられ、互いに少なくとも部分的に重なる、請求項２１に記載の組合せ。
【請求項２４】
前記カートンブランクは、前記フロントパネル及び前記少なくとも１つのバックパネルのうちの少なくとも一方にそれぞれ折り曲げ可能につながっているボトムパネル及びボトムフラップを更に有し、前記ボトムパネル及び前記ボトムフラップは、前記カートンブランクから形成された前記カートンの底壁を少なくとも部分的に形成する、請求項２０に記載の組合せ。
【請求項２５】
前記強化パッケージが前記カートンブランク及び前記袋から形成されると、前記カートンが前記非起立位置にある場合、前記底壁は、前記フロントパネル及び前記少なくとも１つのバックパネルに対して外方に折り曲げられる、請求項２４に記載の組合せ。
【請求項２６】
前記ボトムフラップは、第１のボトムフラップを含み、前記カートンブランクは、折り線に沿って前記ボトムパネルに折り曲げ可能につながっている第２のボトムフラップを有し、前記第２のボトムフラップは、前記カートンが前記カートンブランクから形成されるときに、前記第１のボトムフラップに少なくとも部分的に接着されるものであり、前記底壁は、前記強化パッケージが前記カートンブランク及び前記袋から形成されると、前記カートンが前記非起立位置にある場合、前記第１のボトムフラップ及び前記ボトムパネルが、互いに少なくとも部分的に重なるように、前記折り線に沿って折り曲げられるものである、請求項２４に記載の組合せ。
【請求項２７】
前記カートンブランクは、前記複数のパネルのうちの少なくとも１つのパネルから延在する支持機能部を更に有する、請求項２０に記載の組合せ。
【請求項２８】
前記支持機能部は、前記フロントパネルから延在する第１の支持部と、前記少なくとも１つのバックパネルから延在する第２の支持部とを含む、請求項２７に記載の組合せ。
【請求項２９】
前記カートンブランクは、前記フロントパネルに折り曲げ可能につながっているボトムパネルと、前記少なくとも１つのバックパネルに折り曲げ可能につながっているボトムフラップとを更に有し、前記第１の支持部は、第１の切れ目線に沿って前記ボトムパネルから少なくとも部分的に分離可能であり、前記第２の支持部は、第２の切れ目線に沿って前記ボトムフラップから少なくとも部分的に分離可能である、請求項２８に記載の組合せ。
【請求項３０】
前記支持機能部は、前記第１のサイドパネル及び前記第２のサイドパネルのそれぞれから延在する少なくとも１つのサイド支持部を含む、請求項２９に記載の組合せ。
【請求項３１】
前記支持機能部は、前記第１のサイドパネルから延在する第１の支持部と、前記第２のサイドパネルから延在する第２の支持部とを含む、請求項２７に記載の組合せ。
【請求項３２】
前記第１のサイドパネル及び前記第２のサイドパネルのそれぞれは、前記第１の支持部及び前記第２の支持部のそれぞれから延在する傾斜縁部を有する、請求項３１に記載の組合せ。
【請求項３３】
前記第１のサイドパネルは、前記第１のサイドパネルにおいて延在する第１の横方向折り線に沿って第２のパネル部分に折り曲げ可能につながっている第１のパネル部分を有し、前記支持機能部は、前記第１のパネル部分から延在する第１の支持部と、前記第２のパネル部分から延在する第２の支持部とを含む、請求項２７に記載の組合せ。
【請求項３４】
前記第１のパネル部分は、第１の傾斜縁部を有し、前記第２のパネル部分は、第２の傾斜縁部を有し、前記第１の傾斜縁部は、前記第１の横方向折り線の端部から前記第１の支持部まで延在し、前記第２の傾斜縁部は、前記第１の横方向折り線の前記端部から前記第２の支持部まで延在し、前記第１の支持部と、前記第１の傾斜縁部と、前記第２の傾斜縁部と、前記第２の支持部とは、前記第１のサイドパネルにおけるリセスを少なくとも部分的に画定する、請求項３３に記載の組合せ。
【請求項３５】
前記第２のサイドパネルは、前記第２のサイドパネルにおいて延在する第２の横方向折り線に沿って第４のパネル部分に折り曲げ可能につながっている第３のパネル部分を有し、前記支持機能部は、前記第３のパネル部分から延在する第３の支持部と、前記第４のパネル部分から延在する第４の支持部とを更に含む、請求項３３に記載の組合せ。
【請求項３６】
前記第１のサイドパネルは、前記第１の支持部と前記第２の支持部との間に延在する第１のリセスを有し、前記第２のサイドパネルは、前記第３の支持部と前記第４の支持部との間に延在する第２のリセスを有する、請求項３５に記載の組合せ。
【請求項３７】
強化パッケージを形成する方法であって、
袋に少なくとも部分的に貼り付けられるカートンブランクを得ることを含み、前記カートンブランクは複数のパネルを有し、前記複数のパネルは、フロントパネルと、前記フロントパネルに折り曲げ可能につながっている第１のサイドパネルと、前記フロントパネルに折り曲げ可能につながっている第２のサイドパネルと、前記第１のサイドパネル及び前記第２のサイドパネルのうちの少なくとも一方に折り曲げ可能につながっている少なくとも１つのバックパネルとを含み、前記袋は、少なくとも部分的に開放した端部と、少なくとも部分的に閉鎖した端部と、製品を保持するための内部空間とを有し、
前記複数のパネルを前記袋の周りに少なくとも部分的に折り曲げることにより、前記複数のパネルによって少なくとも部分的に画定されるカートンの内部を形成することを含み、
前記カートンは、前記袋の前記内部空間が少なくとも部分的に潰される非起立位置と、前記袋の前記内部空間が増大する起立位置とに位置決め可能であり、前記カートンは、前記起立位置において前記袋を支持するように構成され、前記第１のサイドパネル及び前記第２のサイドパネルは、前記カートンを前記起立位置に少なくとも部分的に維持する維持機能部を有する、方法。
【請求項３８】
前記第１のサイドパネルは、前記第１のサイドパネルにおいて延在する第１の横方向折り線に沿って第２のパネル部分に折り曲げ可能につながっている第１のパネル部分を有し、前記第２のサイドパネルは、前記第２のサイドパネルにおいて延在する第２の横方向折り線に沿って第４のパネル部分に折り曲げ可能につながっている第３のパネル部分を有し、前記複数のパネルを折り曲げることは、前記第２のパネル部分が前記第１のパネル部分に少なくとも部分的に重なり、前記第４のパネル部分が前記第３のパネル部分に少なくとも部分的に重なり、前記少なくとも１つのバックパネルが前記袋に少なくとも部分的に重なるように、前記第２のパネル部分及び前記第４のパネル部分を前記第１の横方向折り線及び前記第２の横方向折り線のそれぞれに沿って折り曲げることを含む、請求項３７に記載の方法。
【請求項３９】
前記第１のサイドパネルは、前記第１のサイドパネルにおいて延在する横方向折り線に沿って第２のパネル部分に折り曲げ可能につながっている第１のパネル部分を有し、前記第１のパネル部分は、第１の折り線に沿って前記フロントパネルに折り曲げ可能につながっており、前記第２のパネル部分は、第２の折り線に沿って前記少なくとも１つのバックパネルに折り曲げ可能につながっており、前記維持機能部は、前記第１の折り線と、前記第２の折り線と、前記第１のサイドパネルにおいて前記第１の折り線から前記第２の折り線まで延在する縦方向折り線とを含む、請求項３７に記載の方法。
【請求項４０】
前記カートンブランクは、前記フロントパネルから延在する第１の支持部と、前記少なくとも１つのバックパネルから延在する第２の支持部と、前記フロントパネルに折り曲げ可能につながっているボトムパネルと、前記少なくとも１つのバックパネルに折り曲げ可能につながっているボトム端部フラップとを更に有し、
前記方法は、前記カートンの底壁を形成することを更に含み、前記底壁は、少なくとも前記ボトムパネル及び前記ボトムフラップを有し、
前記カートンを前記非起立位置から前記起立位置に移すことは、前記底壁が、前記起立位置において前記カートンの底部にわたって少なくとも部分的に延在するように、ボトムパネル及び前記ボトムフラップを前記フロントパネル及び前記少なくとも１つのバックパネルのそれぞれに対して折り曲げることを含み、前記ボトムパネル及び前記ボトムフラップを折り曲げる間、前記第１の支持部は、第１の切れ目線に沿って前記ボトムパネルから少なくとも部分的に分離し、前記第２の支持部は、第２の切れ目線に沿って前記ボトムフラップから少なくとも部分的に分離する、請求項３７に記載の方法。
【請求項４１】
前記カートンブランクは、前記第１のサイドパネル及び前記第２のサイドパネルのそれぞれから延在する少なくとも１つのサイド支持部を更に有する、請求項４０に記載の方法。
【発明の詳細な説明】
【技術分野】
【０００１】
［関連出願の相互参照］
本願は、２０１５年７月２３日に出願された米国仮特許出願第６２／２８２，０４９号の利益を主張する。この出願は、２０１３年９月２５日に出願された米国仮特許出願第６１／９６０，７１２号の利益を主張する、２０１４年９月２５日に出願された米国特許出願第１４／４９６，２５２号の一部継続出願である。
【０００２】
［参照による援用］
２０１５年７月２３日に出願された米国仮特許出願第６２／２８２，０４９号、２０１４年９月２５日に出願された米国特許出願第１４／４９６，２５２号、２０１３年９月２５日に出願された米国仮特許出願第６１／９６０，７１２号、２０１３年３月１５日に出願された米国特許出願第１３／８３４，８２０号、２０１５年７月１４日に出願された米国仮特許出願第６２／２３１，７２３号の開示は、その全体が本明細書内に提示されているかのように引用することにより本明細書の一部をなすとともに、全ての目的で引用することにより本明細書の一部をなす。
【０００３】
本開示は、包括的には、製品を保持する強化パッケージ及びパッケージを形成する方法に関する。より具体的には、本開示は、形成されたパッケージの形状を強化するとともに、パッケージの内容物に対するアクセスを可能にする機能部を有する、カートン又はブランクに貼り付けられる袋又はライナーを備えるパッケージに関する。
【背景技術】
【０００４】
米又は砂等のバルク材料からより大きな物品まで、製品を包装及び搬送するのに、紙袋又はビニール袋等の袋又はライナーが従来から用いられてきている。袋又はライナーは一般的に、安価であり、製造が容易であり、種々の形態及びサイズに形成することができ、広く多様な製品の保管及び搬送に用いることができる。特に、フードサービス産業では、袋又はライナーは、サンドイッチ、フライドポテト、シリアル等のような調理済み食品の包装に用いられる場合が多い。現在、サンドイッチ、フライドポテト、シリアル及び他の調理済み食品を含む種々の製品を消費者に提供するために包装する際に用いられる袋又はライナー又は同様のパッケージに対する需要が高まっている。しかしながら、そのようなパッケージのコストを必ず可能な限り最小限に抑えねばならないこともまた重要である。補強用材料又は支持材料を含む様々なパッケージ設計が開発されてきているが、多くの場合、補強層又は補強用材料が備わっているそのような特殊な袋又はライナーの製造は、複数の段階又は作業を必要としてきており、これにより、そのようなパッケージの製造コストが著しく増大する可能性がある。
【発明の概要】
【０００５】
１つの態様において、本開示は、包括的には、カートンを備え、カートンは、カートンの内部の周りに少なくとも部分的に延在する複数のパネルを有する、強化パッケージに関する。複数のパネルは、フロントパネルと、フロントパネルに折り曲げ可能につながっている第１のサイドパネルと、フロントパネルに折り曲げ可能につながっている第２のサイドパネルと、第１のサイドパネル及び第２のサイドパネルのうちの少なくとも一方に折り曲げ可能につながっている少なくとも１つのバックパネルとを含むことができる。袋は、カートンに貼り付けることができる。袋は、少なくとも部分的に開放した端部と、少なくとも部分的に閉鎖した端部と、製品を保持するための内部空間とを有することができる。カートンは、袋の内部空間が少なくとも部分的に潰される非起立位置と、袋の内部空間が増大する起立位置とに位置決め可能とすることができる。カートンは、起立位置において袋を支持するように構成することができ、第１のサイドパネル及び第２のサイドパネルは、カートンを少なくとも部分的に起立位置に維持する維持機能部を有することができる。
【０００６】
１つの態様において、本開示は、包括的には、製品を保持するための強化パッケージを形成する、カートンブランクと袋との組合せに関する。カートンブランクは、カートンを形成するものとすることができ、フロントパネルと、フロントパネルに折り曲げ可能につながっている第１のサイドパネルと、フロントパネルに折り曲げ可能につながっている第２のサイドパネルと、第１のサイドパネル及び第２のサイドパネルのうちの少なくとも一方に折り曲げ可能につながっている少なくとも１つのバックパネルとを含む複数のパネルを有することができる。袋は、少なくとも部分的に開放した端部と、少なくとも部分的に閉鎖した端部と、製品を保持するための内部空間とを有することができる。袋は、カートンブランクに少なくとも部分的に貼り付けることができる。カートンブランク及び袋から形成される強化パッケージは、袋の内部空間が少なくとも部分的に潰される非起立位置と、袋の内部空間が増大する起立位置とに位置決め可能とすることができる。第１のサイドパネル及び第２のサイドパネルは、カートンブランクから形成されたカートンを少なくとも部分的に起立位置に維持する維持機能部を有することができる。
【０００７】
１つの態様において、本開示は、包括的には、強化パッケージを形成する方法に関する。本方法は、袋に少なくとも部分的に貼り付けられるカートンブランクを得ることを含むことができる。カートンブランクは、フロントパネルと、フロントパネルに折り曲げ可能につながっている第１のサイドパネルと、フロントパネルに折り曲げ可能につながっている第２のサイドパネルと、第１のサイドパネル及び第２のサイドパネルのうちの少なくとも一方に折り曲げ可能につながっている少なくとも１つのバックパネルとを含む複数のパネルを有することができ、袋は、少なくとも部分的に開放した端部と、少なくとも部分的に閉鎖した端部と、製品を保持するための内部空間とを有することができる。本方法は、複数のパネルを袋の周りに少なくとも部分的に折り曲げることにより、複数のパネルによって少なくとも部分的に画定されるカートンの内部を形成することを更に含むことができる。カートンは、袋の内部空間が少なくとも部分的に潰される非起立位置と、袋の内部空間が増大する起立位置とに位置決め可能とすることができる。カートンは、袋を起立位置に支持するように構成することができ、第１のサイドパネル及び第２のサイドパネルは、カートンを起立位置に少なくとも部分的に維持する維持機能部を有する。
【０００８】
当業者は、添付図面を参照して実施形態の以下の詳細な説明を読むことによって、上記の利点、並びに種々の更なる実施形態の他の利点及び利益を理解するであろう。個々に、また様々な組合せで与えられる上述の態様が本開示の範囲内にある。
【０００９】
慣例によれば、以下で説明する図面の種々の特徴は、必ずしも一定の縮尺比で描かれているとは限らない。図面における種々の特徴及び要素の寸法は、本開示の実施形態をより明確に示すために拡大又は縮小されている場合がある。
【図面の簡単な説明】
【００１０】
【図１】本開示の例示的な一実施形態に係る、パッケージのカートンを形成するのに用いられるブランクの外面図である。
【図２】本開示の例示的な実施形態に係る、パッケージの袋を形成するウェブの一部の平面図である。
【図３】図１のカートンブランクに貼り付けられる図２のウェブ部分から形成される袋を示す外面図である。
【図４】本開示の例示的な実施形態に係る、図３のカートンブランク及び袋から形成されるパッケージの図である。
【図５】本開示の例示的な実施形態に係る、図３のカートンブランク及び袋から形成されるパッケージの図である。
【図６】本開示の例示的な実施形態に係る、折り畳み形態における図４のパッケージの斜視図である。
【図７】本開示の例示的な実施形態に係る、起立形態における図５のパッケージの底面斜視図である。
【発明を実施するための形態】
【００１１】
対応する部分は、図面を通して対応する参照符号によって示されている。
【００１２】
本開示は、包括的には、食品製品等の製品又は他の物品を保持する強化パッケージに関する。本開示に係るパッケージは、任意の形状の物品を収容することができる。パッケージは、比較的剛性の材料（例えば、板紙）を含む強化用構築物に貼り付けられた、比較的可撓性の材料を含む袋、ライナー、又はラップ材を備えることができる。袋又はライナーは、概して、紙、プラスチック、又は他の原材料から作製することができ、強化用構築物に貼り付けることができる。１つの実施形態において、ライナーは、ポリエチレン材料又は他の任意の好適なヒートシール性材料を含む。強化用構築物は、可変幅を有することができ、袋の閉鎖端部の周りに又は閉鎖端部の上に延在することができ、いくつかの実施形態では、そのような閉鎖端部を包囲することができ、製品又は物品若しくは一連の物品を内部に詰める際に袋に支持を与える。いくつかの実施形態において、強化用構築物は、袋とともに、詰めやすく使用しやすいように自立直立式の開放状態で袋を支持する形態へと折り曲げることができる。
【００１３】
図１は、本開示の１つの実施形態に係る、カートン５に貼り付けられた袋３を備える、全体として１で示される（図４〜図７）強化パッケージを形成するブランク１０を示している。袋は、開放した頂端部７と、閉鎖又はシールされた底端部９と、製品を保持するための内部空間１７とを有する。１つの実施形態において、袋３は、袋の頂部７と底部９との間の長さに延在するシールされた側部１９を有する。強化用カートン５は、袋３のシールされた底部９を支持する底部２０を有することができる。図示の実施形態では、カートン５は、非起立形態又は折り畳み形態（図４及び図６）に位置決めすることができるとともに、起立形態又は開放形態（図５及び図７）に位置決めすることができる。また、カートン５は、本明細書において更に記載するように、パッケージの剛性を増大させることによりパッケージ１を強化し、パッケージを図５及び図７の起立状態に係止する、維持機能部を有する。さらに、カートン５の底部２０は、パッケージ１を図５及び図７の直立位置に位置決めすることを可能にする支持機能部を有することができる。
【００１４】
図１に示されているように、ブランク１０は、横軸Ｌ１及び縦軸Ｌ２を有する。図示の実施形態では、ブランク１０は、第１の折り線３３において第１のサイドパネル２８に折り曲げ可能につながっているフロントパネル２１を有する。第１のサイドパネル２８は、横方向折り線２６において互いに折り曲げ可能につながっている２つの個別のパネル部分２８ａ、２８ｂを有する。第１のバックパネル２３は、第２の折り線３１において第１のサイドパネル２８に折り曲げ可能につながっている。第２のサイドパネル２９は、第３の折り線３５においてフロントパネル２１に折り曲げ可能につながっている。第２のサイドパネル２９は、横方向折り線２７において互いに折り曲げ可能につながっている２つの個別のパネル部分２９ａ、２９ｂを有する。貼付けフラップ又は第２のバックパネル２５は、第４の折り線３７において第２のサイドパネル２９に折り曲げ可能につながっている。ブランク１０は、縦方向折り線４３においてフロントパネル２１に折り曲げ可能につながっているボトムパネル４１を有する。第１のボトム端部フラップ４５は、縦方向折り線４７において第１のバックパネル２３に折り曲げ可能につながっている。図１に示されているように、第２のボトム端部フラップ４２は、ボトム端部フラップの幅にわたって延在する縦方向折り線４９に沿ってボトムパネル４１に折り曲げ可能につながっていることができる。フロントパネル２１、バックパネル２３、２５、サイドパネル２８、２９、ボトムパネル４１、及び／又はボトム端部フラップ４２、４５のうちの任意のものは、本開示から逸脱することなく、省くこともできるし、別様の構成、形状、配置、及び／又は形態とすることもできる。
【００１５】
図示の実施形態では、第１の折り線３３は、頂点３８ａから延在する２つの斜め折り線セグメント３３ａ、３３ｂへと分割されている。第２の折り線３１は、頂点３８ｂから延在する２つの斜め折り線セグメント３１ａ、３１ｂへと分割されている。第３の折り線３５は、頂点３９ａから延在する２つの斜め折り線セグメント３５ａ、３５ｂへと分割されている。第４の折り線３７は、頂点３９ｂから延在する２つの斜め折り線セグメント３７ａ、３７ｂへと分割されている。折り線３３、３１は、頂点３８ａ、３８ｂが、斜め折り線セグメント３３ａ、３３ｂ、３１ａ、３１ｂの反対端部よりも横方向折り線２６から遠く離間する（例えば、パネル部分２８ａ、２８ｂ及び第１のサイドパネル２８が、頂点３８ａ、３８ｂ間又は頂点３８ａ、３８ｂ近傍で最も幅広である）ように、横方向折り線２６から離間することができる。同様に、折り線３７、３５は、頂点３９ａ、３９ｂが、斜め折り線セグメント３７ａ、３７ｂ、３５ａ、３５ｂの反対端部よりも横方向折り線２７から遠く離間する（例えば、パネル部分２９ａ、２９ｂ及び第１のサイドパネル２９が、頂点３９ａ、３９ｂ間又は頂点３９ａ、３９ｂ近傍で最も幅広である）ように、横方向折り線２７から離間する。折り線３３、３１、３７、３５は、本開示から逸脱することなく、省くこともできるし、別様の構成、形状、配置、及び／又は形態とすることもできる。例えば、折り線は、図示のように分割された折り線ではなく、弧状の折り線とすることができる。
【００１６】
１つの実施形態において、第１のサイドパネル２８のパネル部分２８ａ、２８ｂは、折り線３１、３３間に延在する縦方向折り線５１を有することができる。第２のサイドパネル２９のパネル部分２９ａ、２９ｂは、折り線３５、３７間に延在する縦方向折り線５３を有する。図１に示されているように、縦方向折り線５１は、第１の折り線３３の頂点３８ａから第２の折り線３１の頂点３８ｂまで延在することができ、斜め折り線セグメント３３ａ、３３ｂ及び３１ａ、３１ｂが、縦方向折り線５１のそれぞれの端部から延在するようになっている。同様に、縦方向折り線５３は、第４の折り線３７の頂点３９ａから第３の折り線３５の頂点３９ｂまで延在することができ、斜め折り線セグメント３７ａ、３７ｂ及び３５ａ、３５ｂが、縦方向折り線５３のそれぞれの端部から延在するようになっている。少なくとも折り線３１、３３、３５、３７、５１、及び５３は、カートン５の側面の剛性を増大させること等によって、ブランクから形成されたパッケージ１を補強及び強化するのに役立ち得るブランクの維持機能部を有する。１つの実施形態において、維持機能部は、カートンを図５及び図７の起立位置に維持するのに役立ち得る。折り線３１、３３、３５、３７、５１、５３及びサイドパネル２８、２９のうちの任意のものは、本開示から逸脱することなく、省くこともできるし、別様の形状、構成、配置、及び／又は形態とすることもできる。
【００１７】
１つの実施形態において、サイドパネル２８のパネル部分２８ａ、２８ｂのそれぞれは、それぞれの折り線３１、３３に隣接する支持部又は拡張部５５と、支持部から横方向折り線２６に向かって延在する傾斜縁部５７とを有する下縁部を有する。換言すれば、２つの傾斜縁部５７は、横方向折り線２６の端部において合一し、それぞれの支持部５５に向かって互いから延在する。同様に、サイドパネル２９のパネル部分２９ａ、２９ｂは、それぞれ、支持部又は拡張部６５と、支持部から横方向折り線２７に向かって延在する傾斜縁部６７とを有する。換言すれば、２つの傾斜縁部６７は、横方向折り線２７の端部において合一し、それぞれの支持部６５に向かって互いから延在する。図１に示されているように、フロントパネル２１は、折り線４３のそれぞれの端部間に延在する切れ目７３によって画定される支持部又は拡張部７１を有する。同様に、第１のバックパネル２３は、折り線４７のそれぞれの端部間に延在する切れ目７７によって画定される支持部又は拡張部７５を有する。支持部７１、７５は、１つの実施形態において、それぞれフロントパネル２１及びバックパネル２３の概ね中央にあることができる。図５及び図７に示されているように、カートン５が起立位置にある場合、支持部５５、６５、７１、７５は、カートン５の底部２０において、それぞれサイドパネル２８、２９、フロントパネル２１、及びバックパネル２３から下方に延在することができる。支持機能部（支持部５５、６５、７１、７５を含む）は、形成されたパッケージ１を表面Ｓ上に直立位置で支持するのに役立つことができ、それにより、袋３の開放した頂端部７がアクセス可能になり、袋の内部１７（図５）にアクセスをもたらす。
【００１８】
１つの実施形態において、袋３は、引用することにより本明細書の一部をなす米国仮特許出願第６２／２３１，７２３号に示されている袋と同様の方法から形成することができ、同様の特徴を有することができる。袋は、好適な材料部分によって形成することができる（例えば、材料ウェブを折り曲げ、シールし、切断して袋を形成することができる）。材料ウェブの部分１５０が、図２において概略的に示されており、ここで、図２において示されている線は、ウェブ部分における或る特定の機能部の場所及び／又は境界線を示している。これらの線は、ウェブ部分１５０に実際に形成されている場合も形成されていない場合もある（例えば、シール領域の折り目又は境界線の場所を示す線は、図２においてこれらの機能部を単に例示するために含むことができるが、ウェブ部分に存在しなくてもよいし、充填線等の他の線が、ウェブ部分１５０に印刷又は別様に形成されてもよい）。１つの実施形態において、ウェブ部分１５０は、袋３のガセット付き底部９を形成する中央折り目１５３及び２つの外側折り目１５５を有することができる。袋３のガセット付き底部９を形成する場合、ウェブ部分１５０は、中央折り目が袋３の外側側部間に配置されるように、中央折り目１５３及び外側折り目１５５に沿って折り曲げられる。したがって、中央折り目１５３及び２つの外側折り目１５５は、袋の底部において４つの重なり合う材料層を形成し、袋の底部が、パッケージ１の非起立位置（図４及び図６）から起立位置（図５及び図７）に移る及び／又は様々なサイズの製品を袋内に保持するために適応するように、拡張可能であるようになっている。ボトムガセット９の上側境界線は、図２の線１５７によって示されている。ボトムガセット９は、本開示から逸脱することなく、別様の形状、構成、配置、及び／又は形態とすることができる。
【００１９】
図２に示されているように、ウェブ部分１５０は、ウェブ部分の辺縁部に沿って延在する２つのシール領域１１９を有することができる。シール領域の境界線は、それぞれの線１５９によって示すことができる。図３に示されているように、ウェブ部分１５０が折り曲げられてガセット付き底部９が形成された後、シール領域１１９をヒートシールし、袋３の側部に沿って袋のボトムガセット９へと延在するそれぞれのヒートシールされた側部１９を形成することができる。したがって、辺縁部に沿って袋の底部において重なり合う材料層の側部がシールされる。袋３の平坦形態（例えば、図３）において、外側折り目１５５は、袋の最下縁部を形成する。必要に応じて、充填線１５８（図２）をウェブ部分１５０の側面に印刷又は別様に形成し、袋３内に注入され得る製品（例えば、水）のための推奨停止点を示すことができる。ウェブ部分１５０及び／又は袋３は、本開示から逸脱することなく、別様の形状、構成、及び／又は形態とすることができる。
【００２０】
１つの実施形態において、強化パッケージ１は、袋３を形成する材料ウェブをそれぞれのブランク１０に貼り付ける包装システムによって形成することができ、ブランク及びウェブは、それぞれの包装システムを通って移動し、システムの様々な部分及び構成要素によって個別のパッケージへと形成される。別の実施形態において、強化パッケージ１は、引用することにより本明細書の一部をなす米国仮特許出願第６２／２３１，７２３号に示されているものと同様のシステム及び方法によって形成することができ、袋３は、少なくとも部分的に形成した後、それぞれのブランク１０に貼り付けることができ、ブランク及びウェブは、それぞれの包装システムを通って移動し、システムの様々な部分及び構成要素によって個別のパッケージへと形成することができる。強化パッケージ１は、本開示から逸脱することなく、別様に形成することができる。
【００２１】
１つの実施形態において、袋３を形成する材料は、事前印刷紙、ポリエチレン、又は可撓性かつヒートシール可能な材料を含む他の材料を含むことができる。各袋３のシールされた側部１９は、材料ウェブ１５０の重なり合う辺縁部１１９を接合する（例えば、ロータリーヒートシーラー等によってヒートシールする）ことによって形成される。袋３は、糊によってそれぞれのブランク１０に貼り付けることができる。例えば、袋３は、糊ストリップＧ１においてブランク３のフロントパネル２１に貼り付けることができる。袋３は、本開示から逸脱することなく、別様に形成し、及び／又はブランク１０に貼り付けることができる。
【００２２】
１つの実施形態において、袋３が貼り付けられた個別のブランク１０は、システム内を、一連の折り曲げ器を含む折り曲げ器／糊付け器カートン形成アセンブリへと運ばれ、折り曲げ器／糊付け器カートン形成アセンブリは、ブランク１０の様々なフラップ及びパネルを位置決めし、製品の充填に向けて包装及び輸送することができる平坦なカートン５を形成する。１つの実施形態において、ブランク１０は、パネル部分２８ｂ、２９ａがそれぞれパネル部分２８ａ、２９ｂに少なくとも部分的に重なり、第２のバックパネル２５が第１のバックパネル２３に重なって第１のバックパネル２３に接着されるように、横方向折り線２６、２７に沿って折り曲げることができる。図１及び図３に示されているように、バックパネル２３、２５は、袋の上に折り曲げられると袋３に糊付けされるように、糊ストリップＧ１を有することができる。図示の実施形態では、第１のボトム端部フラップ４５は、第２のボトム端部フラップ４２に重なって、（例えば、図１及び図３の糊ストリップＧ２により）第２のボトム端部フラップ４２に接着され、カートンの閉鎖した底部２０（図６及び図７）を形成する。
【００２３】
図４及び図６に示されているように、パッケージ１の平坦形態又は非起立位置において、カートン５は、パネル部分２８ａ、２８ｂが互いに重なるとともに、パネル部分２９ａ、２９ｂが互いに重なるように、サイドパネル２８、２９を折り線２６、２７に沿って折り曲げることによって平坦に折り畳まれる。さらに、カートン５の底部２０は、折り線４９、４３、４７において外方に折り曲げられる。代替的な一実施形態において、底部２０は、カートンが非起立位置にある場合、内方に折り曲げられるように構成することができる。パッケージ１は、側面２８、２９を把持し、折り線２６、２７において矢印Ａ１（図６）の方向に内方に押し、フロントパネル２１及びバックパネル２３を互いから分離又は遠ざけてパッケージに３次元形状を与え、製品を保持するための袋３の内部空間１７を形成することによって、図５及び図７に示されている起立形態に位置決めすることができる。パネル２１、２３が遠ざけられる際、底部２０は、ボトムパネル４１及びボトムフラップ４２、４５がフロントパネル２１からバックパネル２３へとカートンの底部にわたって延在するように、折り線４３、４７、４９に沿って折り曲げることができる。袋３はフロントパネル２１及びバックパネル２３に貼り付けられるので、袋３の側面は、フロントパネル及びバックパネルが互いに分離されるにつれて引き離すことができる。したがって、袋のガセット付き底部９は、カートンの底部２０によって支持されてパッケージ１の底部にわたって延在するように拡張することができる。１つの実施形態において、ボトムパネル４１及びボトムフラップ４２、４５を、カートンの底部にわたって延在するように折り曲げる際、支持部７１、７５は、それぞれボトムパネル４１及びボトムフラップ４５から、それぞれの切れ目７３、７７に沿って分離することができ、それにより、支持部は引き続き、それぞれフロントパネル２１及びバックパネル２３から延在するとともに同一平面になる。支持部７１、７５は、それぞれボトムパネル４１及びボトム端部フラップ４５においてそれぞれの開口７９を形成することができる（図７）。パッケージ１は、本開示から逸脱することなく、起立位置と折り畳み位置との間を別様に移行させることができる。
【００２４】
パッケージ１の起立形態（図５及び図７）において、支持部５５、６５、７１、７５は、それぞれサイドパネル２８、２９、フロントパネル２１、及びバックパネル２３から下方に延在し、カートン５の底部２０の最下部を形成する。したがって、パッケージ１は、支持部５５、６５、７２、７５において平坦面上で支持されるとともに起立形態に直立させて配置されることができ、それにより、袋３の頂部７を通して内部空間１７にアクセスすることが可能である。図５〜図７に示されているように、リセス８１が、支持部７１、７５のそれぞれと、支持部５５、６５のそれぞれ１つとの間に延在するように、支持部７１、７５の両側にリセス８１を形成することができる。１つの実施形態において、リセス８１のそれぞれは、支持部７１、７５のうちの一方の縁部と、折り線４３、４７のうちの一方と、支持部５５、６５のうちの一方の縁部とによって画定される。同様に、リセス８３は、リセス８３のそれぞれが、支持部５５又は６５のそれぞれの縁部とそれぞれの傾斜縁部５７、６７とによって画定されるように、支持部５５間及び支持部６５間に延在することができる。
【００２５】
１つの実施形態において、袋３のシールされた底部９は、水密シールとすることができ、これにより、使用者が、水又はミルクを強化パッケージ１の袋の内部１７に添加し、内部の食品（例えば、シリアル、オートミール等）と混合することが可能である。パッケージ１は、本開示から逸脱することなく、食品を加熱するために電子レンジに入れることができる。さらに、パッケージ１は、本開示から逸脱することなく、他のタイプの食品を保持するのに用いることができる。
【００２６】
サイドパネル２８の折り線５１、２６及びサイドパネル２９の折り線５３、２７は、形成されたパッケージ１の剛性を増大させる。サイドパネル２８、２９は、折り線５１、２６；５３、２７に沿って折り曲げて内方に撓ませ、カートン５の構造を強化することができ、それにより、パッケージ１は、形成されると、起立形態に留まるようになっている。パッケージ１、カートン５、及び／又はブランク１０は、本開示から逸脱することなく、他の特徴を有することもでき、別様の形状、構成、及び／又は形態とすることもできる。
【００２７】
概して、本明細書に記載したように、ライナー又は袋は紙素材によって形成することができるが、種々のプラスチック材料又は他のライナー材料を用いることもでき、所望の材料でライニング又はコーティングすることもできる。本明細書に記載の構築物、ブランク、及び／又は強化用スリーブは、クレーコーティング天然クラフト（「ＣＣＮＫ」）等のより硬質の材料で作製することができる。本明細書に記載のパッケージの構成部材を形成するのに、種々の厚紙、普通紙、プラスチック、若しくは他の合成材料又は天然材料等の他の材料を用いることもできる。
【００２８】
概して、本開示のブランクは、通常の紙よりも重く硬質であるような厚さを有する厚紙で作成してもよい。ブランクは、ボール紙等の他の材料、又はカートンが少なくとも概して上述したように機能することができるようにするのに適した特性を有する任意の他の材料で作成することもできる。ブランクは、例えばクレーコーティングでコーティングすることができる。続いて、クレーコーティング上に製品、広告、及び他の情報又は画像を印刷してもよい。続いて、ブランクに印刷されている情報を保護するように、ブランクをワニスでコーティングすることができる。ブランクは、ブランクの片面又は両面を、例えば防湿層でコーティングすることもできる。ブランクは、選択されたパネル又はパネルセクションに１つ以上のシート状材料を積層又はコーティングすることもできる。
【００２９】
一例として、引き裂き線は、所望の弱化線に沿って材料に部分的に入れ込んだスリット、及び／又は所望の弱化線に沿って材料に部分的に入れ込むか、及び／又は完全に貫通する一連の離間したスリット、又はこれらの機能部の種々の組合せを含むことができる。より具体的な例としては、１つのタイプの引き裂き線は、引き裂き線を挟んで材料を通常は一時的に連結するようニック（例えば、ブリッジにやや似た材料の小片）が間に画成されるように隣接するスリットを僅かに離間させた、材料を完全に貫通する一連の離間したスリットの形態である。ニックは、引き裂き時に引き裂き線に沿って破断される。ニックは通常、引き裂き線において比較的僅かな割合を占めるものであり、代替的に、引き裂き線が連続した切れ目線であるように、ニックを引き裂き線から省くことができるか、又は引き裂き線上で破っておくことができる。すなわち、引き裂き線のそれぞれを連続したスリット等で置き換えることは、本開示の範囲内にある。例えば、本開示から逸脱することなく、切れ目線は、連続したスリットとすることができるか、又はスリットよりも幅広とすることができる。
【００３０】
例示的な実施形態によれば、折り線は、それに沿った折り曲げを容易にする、必ずしも直線状ではないが実質的に線状の任意の弱化形態とすることができる。本開示の範囲を狭めるためではないが、より詳細には、折り線は、所望の弱化線に沿って材料に圧潰部分すなわち凹部分を作る鈍いスコアリングナイフ等で形成される線等のスコア線、所望の弱化線に沿って材料に部分的に入れ込んだ切れ目、及び／又は所望の弱化線に沿って材料を部分的に貫通する一連の切れ目及び／又は材料を完全に貫通する一連の切れ目、並びにこれらの機能部の種々の組合せを含む。折り線を形成するのに切れ目付け（cutting）が用いられる状況において、切れ目付けは通常、分別のあるユーザーが折り線を誤って引き裂き線とみなす可能性があるように過度には深く（extensive）ない。
【００３１】
上記実施形態は、カートンの実施形態を組み立てる間に糊によってともに接着される１つ以上のパネルを有するものとして説明することができる。「糊」という用語は、カートンパネルを適所に固定するのに一般的に用いられる全ての態様の接着剤を包含することが意図される。
【００３２】
本開示の前述の説明は、種々の実施形態を例示及び説明する。本開示の範囲から逸脱することなく、種々の変更を上記構成内でなし得るので、上記説明に含まれるか又は添付図面に示されている全ての事項が、限定的な意味ではなく例示として解釈されることが意図される。さらに、本開示の範囲は、上述の実施形態の種々の変更形態、組合せ、変形形態等をカバーする。加えて、本開示は、選択された実施形態のみを図示及び説明しているが、種々の他の組合せ、変更形態、及び環境が、本明細書で表されるように本開示の範囲内にあり、上記教示と同等であり、及び／又は関連技術分野の技術若しくは知識内にある。さらに、各実施形態の或る特定の機能部及び特徴を、選択的に入れ替えて、本開示の他の説明された実施形態及び説明されていない実施形態に適用することができる。
【図１】
2018520071.tif 000003
【図２】
2018520071.tif 000004
【図３】
2018520071.tif 000005
【図４】
2018520071.tif 000006
【図５】
2018520071.tif 000007
【図６】
2018520071.tif 000008
【図７】
2018520071.tif 000009
【国際調査報告】
2018520071.tif 000010
2018520071.tif 000011